(57)【要約】      （修正有）【課題】埋設物の埋め込み前に効率よく敷設状態を記録可能なことで作業者の負担を軽減し、信頼性の高い竣工後の敷設状態を表す図面を生成可能なシステムを提供する。【解決手段】土木工事により地中に埋設される埋設物の、竣工後の敷設状態を管理する埋設物管理システム１において、表面の所定の位置に、少なくとも形状および大きさの情報を含む２次元コードを有するガス管や継手の、地中への配設後であって埋め込み前に、２次元コードを含むデジタル画像を撮影する撮影装置１１と、２次元コードの位置情報を取得する測位機器１２，相対座標算出部１６１と、デジタル画像に含まれる２次元コードが含む情報と、測位機器１２，相対座標算出部１６１により取得された位置情報に基づき、敷設状態を表す図面を生成する図面生成部１６２と、を備える。【選択図】図１
2020160700.tif 000002
【特許請求の範囲】
【請求項１】
土木工事により地中に埋設される埋設物の、竣工後の敷設状態を管理する埋設物管理システムにおいて、
前記埋設物は、表面の所定の位置に、少なくとも前記埋設物の形状および大きさの情報を含む符牒を有すること、
前記埋設物の地中への配設後であって埋め込み前に、少なくとも前記符牒を含む画像を撮影する撮影装置と、
前記符牒の位置情報を取得する位置情報取得部と、
前記画像に含まれる前記符牒が含む情報と、前記位置情報取得部により取得された前記位置情報とを保有した、前記敷設状態を表す図面を生成する図面生成部と、
を備えること、
を特徴とする埋設物管理システム。
【請求項２】
請求項１に記載の埋設物管理システムにおいて、
前記符牒は、所定の色を備える複数のセルが２次元的に配列されたものであって、前記符牒の領域の位置を検出するための切欠部を備え、色の組み合わせにより前記埋設物の前記情報を表すものであること、
を特徴とする埋設物管理システム。
【請求項３】
請求項１または２に記載の埋設物管理システムにおいて、
前記図面には、少なくとも竣工図が含まれること、
を特徴とする埋設物管理システム。
【請求項４】
請求項１乃至３のいずれか１つに記載の埋設物管理システムにおいて、
前記図面には、少なくとも地理情報システムデータが含まれること、
を特徴とする埋設物管理システム。
【請求項５】
請求項１乃至４のいずれか１つに記載の埋設物管理システムにおいて、
前記位置情報取得部は、前記撮影装置により撮影された画像に基づいて、所定の基準位置に対する前記符牒の相対座標を算出する相対座標算出部からなること、
前記位置情報には、少なくとも前記相対座標が含まれること、
を特徴とする埋設物管理システム。
【請求項６】
請求項１乃至４のいずれか１つに記載の埋設物管理システムにおいて、
前記位置情報取得部は、前記埋設物の地中への配設後であって埋め込み前に、前記符牒の絶対座標を取得する測位機器からなること、
前記位置情報には、少なくとも前記絶対座標が含まれること、
を特徴とする埋設物管理システム。
【請求項７】
請求項１乃至４のいずれか１つに記載の埋設物管理システムにおいて、
前記位置情報取得部は、前記撮影装置により撮影された画像に基づいて、所定の基準位置に対する前記符牒の相対座標を算出する相対座標算出部と、前記埋設物の地中への配設後であって埋め込み前に、前記符牒の絶対座標を取得する測位機器と、からなること、
前記位置情報には、前記相対座標と、前記絶対座標と、が含まれること、
を特徴とする埋設物管理システム。
【発明の詳細な説明】
【技術分野】
【０００１】
本発明は、土木工事により地中に埋設される埋設物の、竣工後の敷設状態を管理する埋設物管理システムに関するものである。
【背景技術】
【０００２】
土木工事により地中に埋設される埋設物、例えばガス管等を配管する工事が完了すると、竣工図や地理情報システムデータ等の敷設情報が作成される。竣工図とは、工事中に発生した設計変更等をもとにして、設計図を修正したもので、実際に竣工した埋設物の位置等を表した図面のことをいう。地理情報システムデータとは、竣工図をもとに敷設状態を地図上に可視化したもので、過去に行われた工事によるガス管等の敷設状態が全て記録されているものである。
竣工図や地理情報システムデータは、工事内容を記録した工事日報に記録された図面に基づいて作成される。
当該図面は、当日の工事によって敷設したガス管の敷設状態（例えばガス管の敷設した距離等）を記録するものであり、ガス管の配設後であって埋め込み前にスケール等を用いて手測定を行い、手測定結果に基づいて製図される。
しかし、手測定を行う作業は手間と時間がかかるため、現場の作業者にとって図面を作成する負担が大きい。手測定を行う手間と時間を軽減するためには、特許文献１に開示されるような、電磁波を地中に放射し、埋設物からの反射波を受信し、その反射波の強度に基づき、地中における埋設物の位置を検出することが可能な３次元ボクセルデータ表示装置を用いることが考えられる。
【先行技術文献】
【特許文献】
【０００３】
【特許文献１】特開２０００−２２１２６６号公報
【発明の概要】
【発明が解決しようとする課題】
【０００４】
しかしながら、上記従来技術には次のような問題があった。
特許文献１に開示される３次元ボクセルデータ表示装置は、ガス管等の埋設物を地中に埋め込んだ後に用いるものである。土壌の性質は不均一であることが多く、電磁波の強度にばらつきが生じるため、埋設物の正確な位置が検出できないおそれがある。また、既に地中に埋め込んだ後では、検出結果が正しいかどうか確認することができない。
そこで、埋設物の埋め込み前に測定するのが望ましいと考えられる。埋め込み前に効率良く埋設物の敷設状態を記録する方法としては、レーザースキャンによってガス管の敷設状態を三次元データ化して記録することも考えられるが、装置が非常に高価である点が問題となる。すなわち、１日あたり１００件程度の工事が行われることが多く、それぞれの現場で敷設状態を記録するためには、１００台程度の装置を準備しなければならず、コストが膨大となり現実的でない。したがって、現状、埋設物の埋め込み前にスケール等を用いて手測定する方法をとることが一般的であり、作業者の手測定を行う手間と時間を軽減することが望まれる。
【０００５】
また、工事日報には、埋設物の形状や大きさ等の情報が書き込まれるのが一般的であるため、作業者は作業中に埋設物の形状や大きさ等の情報をメモしておき、当該メモに基づいて工事日報に埋設物の情報を書き込むことが行われている。このような作業は煩雑であり、記載ミス等が起こり得るため、正確な情報の記入が保証されにくい。工事日報において記載ミスが発生すると、竣工図や地理情報システムデータの情報の信頼性が低下するという問題が発生する。
【０００６】
本発明は、上記問題点を解決するためのものであり、埋設物の埋め込み前に効率よく敷設状態を記録可能なことで作業者の負担を軽減し、信頼性の高い竣工後の敷設状態を表す図面を生成可能なシステムを提供することを目的とする。
【課題を解決するための手段】
【０００７】
上記課題を解決するために、本発明の埋設物管理システムは、次のような構成を有している。
（１）土木工事により地中に埋設される埋設物の、竣工後の敷設状態を管理する埋設物管理システムにおいて、埋設物は、表面の所定の位置に、少なくとも埋設物の形状および大きさの情報を含む符牒を有すること、埋設物の地中への配設後であって埋め込み前に、少なくとも符牒を含む画像を撮影する撮影装置と、符牒の位置情報を取得する位置情報取得部と、画像に含まれる符牒が含む情報と、位置情報取得部により取得された位置情報とを保有した、敷設状態を表す図面を生成する図面生成部と、を備えること、を特徴とする。
【０００８】
（２）（１）に記載の埋設物管理システムにおいて、符牒は、所定の色を備える複数のセルが２次元的に配列されたものであって、符牒の領域の位置を検出するための切欠部を備え、色の組み合わせにより埋設物の情報を表すものであること、を特徴とする。
【０００９】
（３）（１）または（２）に記載の埋設物管理システムにおいて、図面には、少なくとも竣工図が含まれること、を特徴とする。
（４）（１）乃至（３）のいずれか１つに記載の埋設物管理システムにおいて、図面には、少なくとも地理情報システムデータが含まれること、を特徴とする。
【００１０】
（５）（１）乃至（４）のいずれか１つに記載の埋設物管理システムにおいて、位置情報取得部は、撮影装置により撮影された画像に基づいて、所定の基準位置に対する符牒の相対座標を算出する相対座標算出部からなること、位置情報には、少なくとも相対座標が含まれること、を特徴とする。
【００１１】
（６）（１）乃至（４）のいずれか１つに記載の埋設物管理システムにおいて、位置情報取得部は、埋設物の地中への配設後であって埋め込み前に、符牒の絶対座標を取得する測位機器からなること、位置情報には、少なくとも絶対座標が含まれること、を特徴とする。
【００１２】
（７）（１）乃至（４）のいずれか１つに記載の埋設物管理システムにおいて、位置情報取得部は、撮影装置により撮影された画像に基づいて、所定の基準位置に対する符牒の相対座標を算出する相対座標算出部と、埋設物の地中への配設後であって埋め込み前に、符牒の絶対座標を取得する測位機器と、からなること、位置情報には、相対座標と、絶対座標と、が含まれること、を特徴とする。
【発明の効果】
【００１３】
本発明の埋設物管理システムは、上記構成を有することにより次のような作用・効果を有する。
（１）に記載の埋設物管理システムによれば、埋設物の埋め込み前に効率よく敷設状態を記録可能なことで作業者の負担を軽減し、信頼性の高い竣工後の敷設状態を表す図面を生成可能である。
例えば、ガス管や継手等の埋設物に対し、少なくとも埋設物の形状および大きさの情報を含む符牒を貼付しておく。そして、撮影装置により、少なくとも符牒を含む画像を取得し、位置情報取得部により、符牒の位置情報を取得しておけば、図面生成部は、画像に含まれる符牒が含む情報と、位置情報取得部により取得された位置情報に基づき、敷設状態を表す図面を生成することができるため、例えば、取得された継手の符牒の位置情報に基づき継手の位置をプロットし、プロットされた点と点の間を直線で連結させ、プロットされた点上には継手を、点と点を連結する直線上にはガス管を描画することで、図面を生成することが可能である。このとき、描画されるガス管や継手は、符牒の有するガス管や継手の形状および大きさの情報に基づき特定される。
よって、埋設物の埋め込み前にスケール等を用いて手測定をする手間や時間を省くことができるため、作業者の負担を軽減し、竣工後の敷設状態を表す図面を生成可能である。
【００１４】
また、埋設物に備えられた符牒に埋設物の情報が含まれ、符牒が含む情報に基づき図面を作成するため、現場作業者が埋設物の形状や大きさ等を記載ミスすることによって図面の信頼性が低下することを防止することができる。
【００１５】
（２）に記載の埋設物管理システムによれば、符牒は、所定の色を備える複数のセルが２次元的に配列されたものであって、色の組み合わせにより埋設物の情報を表すものであるため、撮影装置により撮影された画像に写った符牒の色の組み合わせを検出することで、埋設物の情報（埋設物の形状や大きさ等）を読み取ることができる。また、符牒の領域の位置を検出するための切欠部を備えているため、撮影装置により撮影された画像に写った符牒が傾いていたとしても、符牒の上下左右の判別が可能であり、正確に符牒が有する埋設物の情報を読み取ることが可能である。
【００１６】
（３）に記載の埋設物管理システムによれば、作業者の負担を軽減し、信頼性の高い竣工図を生成可能である。
（４）に記載の埋設物管理システムによれば、作業者の負担を軽減し、信頼性の高い地理情報システムデータを生成可能である。
【００１７】
（５）に記載の埋設物管理システムによれば、相対座標に基づいて敷設状態を表す図面を生成することができる。例えば、土木工事により埋設したガス管を、将来的に交換のための工事を行う場合、相対座標に基づいて生成された図面があれば、所定の基準位置からスケール等で測定することで、ガス管の位置を特定することが可能となる。
【００１８】
（６）に記載の埋設物管理システムによれば、絶対座標に基づいて敷設状態を表す図面を生成することができる。例えば、土木工事により埋設したガス管を、将来的に交換のための工事を行う場合、絶対座標に基づいて生成された図面があれば、ＧＰＳ機器を用いることでガス管の位置を特定することが可能となる。現在、ＧＰＳ機器が高価であるため、スケール等により相対座標に基づいてガス管の位置を特定することが一般的に行われているが、将来的にＧＰＳ機器が普及することで、本発明の有用性が高まる。
【００１９】
（７）に記載の埋設物管理システムによれば、相対座標や絶対座標に基づいて敷設状態を表す図面を生成することができる。例えば、土木工事により埋設したガス管を、将来的に交換のための工事を行う場合、相対座標および絶対座標に基づいて生成された図面があれば、所定の基準位置からスケール等で測定を行うか、ＧＰＳ機器を用いるかすればガス管の位置を特定することが可能となる。ＧＰＳ機器は高価であり、複数台準備できない場合が考えられる。そうすると、複数個所で同時に工事が行われるとした場合、ＧＰＳ機器を用いることができない現場がある。そのような場合、相対座標と絶対座標の双方でガス管位置を特定できるようにしておけば、柔軟に対応することができる。
【図面の簡単な説明】
【００２０】
【図１】埋設物管理システムの構成の一例を示すブロック図である。
【図２】撮影装置を用いてガス管を撮影する様子の一例を示す図である。
【図３】ガス管と継手の敷設状態の一例を示す図である。
【図４】（ａ）は、２次元コードの一例を示す図であり、（ｂ）は、セルの色と色に対応する番号の一例を示す図である。
【図５】２次元コードのセルの色の組み合わせを示す一覧表である。
【図６】２次元コードのセルの色の組み合わせを示す一覧表である。
【図７】２次元コードのセルの色の組み合わせを示す一覧表である。
【図８】２次元コードのセルの色の組み合わせを示す一覧表である。
【図９】２次元コードのセルが、画像処理の関係上一体化してしまった場合の認識方法の一例を示す図である。
【図１０】（ａ）は２次元コードの底辺部の一部が欠損してデジタル画像に写った場合を示す図であり、（ｂ）は２次元コードの角部と底辺部の一部が欠損してデジタル画像に写った場合の一例を示す図であり、（ｃ），（ｄ），（ｅ）は、２次元コードの横方向の端部の一部が欠損してデジタル画像に写った場合を示す図である。
【図１１】２次元コードの表す数列とガス管情報の対応表である。
【図１２】オルソ画像のイメージ図である。
【図１３】オルソ画像により、相対座標を算出する方法の一例を表す図である。
【図１４】３次元点群データのイメージ図である。
【図１５】（ａ）はメッシュ化のイメージ図であり、（ｂ）はポリゴンデータのイメージ図であり、（ｃ）はポリゴンデータにデジタル画像を貼り付けた状態のイメージ図である。
【図１６】３次元ＣＡＤ図面のイメージ図である。
【図１７】２次元コードの変形例を表す図である。
【図１８】２次元コードの変形例を表す図である。
【図１９】２次元コードの変形例を表す図である。
【図２０】２次元コードの変形例を表す図である。
【図２１】２次元コードの変形例を表す図である。
【図２２】２次元コードの変形例を表す図である。
【図２３】２次元コードの変形例を表す図である。
【図２４】２次元コードの変形例を表す図である。
【図２５】２次元コードの変形例を表す図である。
【図２６】２次元コードの変形例を表す図である。
【図２７】２次元コードの変形例を表す図である。
【図２８】２次元コードの変形例を表す図である。
【図２９】２次元コードの変形例を表す図である。
【図３０】２次元コードの変形例を表す図である。
【図３１】埋設物管理システムの構成の変形例を示すブロック図である。
【図３２】埋設物管理システムの構成の変形例を示すブロック図である。
【発明を実施するための形態】
【００２１】
本発明の埋設物管理システム１の第１の実施形態について、図面を参照しながら詳細に説明する。
図１は本実施形態の埋設物管理システム１の構成の一例を示すブロック図である。
撮影装置１１と、測位機器１２とはインターネット等の通信回線１９を介して埋設物管理システム１と接続されている。
【００２２】
撮影装置１１は、後述する図面を作成するためのデジタル画像を取得するために、工事現場の作業者が埋設物としてのガス管２０や継手２１を撮影するデジタルカメラである。図２に示すように、撮影装置１１に把手１１ａが接続されており、工事現場の作業者は、地面３０に立った状態で、土木工事により掘り起こされた設置溝３０ａに配設されたガス管２０を上空から撮影可能である。撮影は、ガス管２０や継手２１の設置溝３０ａへの配設後であって埋め込み前に行われるものであり、一日の工事で約２００枚のデジタル画像の撮影が行われる。なお、本実施形態においては、作業者自身が撮影装置１１を用いて撮影することとしているが、ドローン等の遠隔操縦可能な無人航空機に撮影装置１１を搭載し、上空から撮影することとしても良い。さらには、作業者が撮影装置１１を手に持って撮影を行うこととしてもよい。この場合、撮影位置が把手１１ａやドローンを用いる場合よりも低い位置となり、撮影範囲が狭くなるため、撮影枚数は把手１１ａやドローンを用いる場合よりも多くなる。
【００２３】
設置溝３０ａに配設されるガス管２０や継手２１の表面には、符牒としての２次元コード４０が貼付されており（図３参照）、撮影装置１１は、ガス管２０や継手２１に含めて２次元コード４０も撮影する。
２次元コード４０は、ガス管２０や継手２１の形状や大きさ等の情報（以下、ガス管情報）を含んでおり、後述する処理部１６は、デジタル画像に写った２次元コード４０を認識することで、デジタル画像に写ったガス管２０や継手２１の形状や大きさ等の情報を判別することができる。２次元コード４０の詳細については後述する。
【００２４】
測位機器１２は、後述する相対座標算出部１６１とともに、埋設物管理システム１の位置情報取得部として働く。工事現場の作業者は、測位機器１２により、ガス管２０や継手２１の設置溝３０ａへの配設後であって埋め込み前に、ガス管２０や継手２１に貼付された２次元コード４０の絶対座標を取得する。測位機器１２により取得した位置情報に基づいて、後述する図面生成部１６２が図面を生成する。
【００２５】
撮影装置１１は、通信回線１９を介して撮影したデジタル画像を埋設物管理システム１に送信し、測位機器１２は、通信回線１９を介して取得した絶対座標に関する情報を埋設物管理システム１に送信する。
【００２６】
埋設物管理システム１は、通信部１３と、登録部１４と、データベース１５と、処理部１６とからなる。
【００２７】
通信部１３は、撮影装置１１や測位機器１２から送信されるデジタル画像や絶対座標に関する情報を受信する。そして、通信部１３が受信した情報は、登録部１４によってデータベース１５に登録される。
【００２８】
データベース１５には登録されたデジタル画像や絶対座標に関する情報の他に、ガス管情報も登録されている。２次元コード４０が有するガス管情報と照会され、対応するガス管情報がデータベースから取り出され、処理部１６においてガス管情報を保有した図面が生成される。
【００２９】
処理部１６は、相対座標算出部１６１と、図面生成部１６２とを備える。
図面生成部１６２は、デジタル画像に基づいて図面を生成する。ここで、図面とは、３次元図面としての３次元点群データ，３次元メッシュデータ，３次元ＣＡＤ図面と、２次元図面としてのオルソ画像，２次元ＣＡＤ図面と、３次元ＣＡＤ図面および２次元ＣＡＤ図面の基となるベクトルデータと、を指す。
【００３０】
図面生成部１６２は以下のように図面を生成する。
まず、デジタル画像をもとに３次元点群データを生成する。３次元点群データとは、図１４に示すような、点の集合によりガス管２０や継手２１の３次元画像を描画したものであり、高精度にガス管２０や継手２１の敷設状態を表すことができる。
【００３１】
３次元点群データは、高精度に敷設状態が描画されるため、データサイズが非常に大きく、一般的な電子計算機ではスムーズに動作しない場合がある。そこで、図面生成部１６２は、３次元点群データに基づいて、よりデータサイズの小さい３次元メッシュデータを生成することができる。
【００３２】
３次元メッシュデータとは、３次元点群データをメッシュ化し（図１５（ａ）参照）、ポリゴンデータ（図１５（ｂ）参照）に変換することで、ガス管２０や継手２１の３次元画像を描画したものである。
よりデータサイズの小さい３次元メッシュデータが生成されることで、一般的な電子計算機でもガス管２０や継手２１の敷設状態をスムーズに確認できるようになる。ポリゴンデータには、デジタル画像をテクスチャとして貼り付けることができ、図１５（ｃ）に示すように、現実に即したガス管２０や継手２１の敷設状態を表すことができる。
【００３３】
また、図面生成部１６２は、３次元点群データに基づいて、オルソ画像を生成することができる。
オルソ画像とは、図１２に示すような正射投影による画像をいう。撮影装置１１により撮影したデジタル画像は、中心投影であるため、撮影装置１１のレンズの中心から撮影対象物であるガス管２０や継手２１との距離の違いにより、デジタル画像上の像に歪みが生じてしまう。そのような中心投影の画像を正射投影に変換し、歪みを補正した画像がオルソ画像である。歪みが補正されたオルソ画像が生成されることで、オルソ画像上でガス管２０や継手２１の位置等を正確に計測することができるようになる。
【００３４】
さらに、図面生成部１６２は、３次元点群データ、３次元メッシュデータ、オルソ画像のいずれかに基づいて、ベクトルデータを生成することができる。
ベクトルデータとは、ガス管２０や継手２１を点データ、線データ、面データ、体データによって、埋設物の敷設状態を簡易的に表した図面である。
例えば、直管であるガス管２０が、２本直列に接続されており、接続されたガス管２０の間と、両端との３か所に継手２１が敷設されているとした場合、ベクトルデータとしては、３次元点群データまたは３次元メッシュデータまたはオルソ画像に描画される３つの継手２１それぞれについて点をプロットし、プロットされた３つの点が線で接続されることで、敷設状態を簡易的に描画する。このとき、継手２１の位置のプロットや線の接続は、電子計算機内の自動処理として行われても良いし、電子計算機の画面上で作業者の操作により行うこととしてもよい。また、測位機器１２により取得した絶対座標をデータベース１５から読み出し、絶対座標に基づいて継手２１をプロットすることも可能である。
ベクトルデータには、描画された線や点の属性としてガス管情報を保有させることが可能である。
【００３５】
なお、ベクトルデータは、３次元ＣＡＤ図面や、２次元ＣＡＤ図面と同種のデータであるが、ここでは、３次元ＣＡＤ図面や、２次元ＣＡＤ図面は、敷設されているガス管２０や継手２１の外観や、周囲の状況（道路や建物等）が描画された完成された図面を指し、ベクトルデータとは分けて説明する。
例えば、図面の作成を外部会社に依頼する場合、完成された３次元ＣＡＤ図面や、２次元ＣＡＤ図面を作成するルール（図枠や図面内に記載する文言等）が会社によって異なることがあるため、依頼先と依頼元の間では、簡易的な図面であるベクトルデータのみで取引が行われ、完成された図面である３次元ＣＡＤ図面や、２次元ＣＡＤ図面は依頼元で製作される場合がある。したがって、簡易的なベクトルデータであっても、それ単体で取引される有用な図面データである。
【００３６】
さらにまた、図面生成部１６２は、ベクトルデータを基に、３次元ＣＡＤ図面や２次元ＣＡＤ図面を生成することができる。
３次元ＣＡＤとは、図１６に示すように、３次元関数によりガス管２０や継手２１の３次元画像を描画したものである。ベクトルデータに基づき、ベクトルデータ上でプロットされている点上には継手を描画し、点を接続する線上にはガス管２０が描画することで３次元ＣＡＤ図面を生成する。このとき、描画されるガス管２０と継手２１の種類は、２次元コード４０により表されるガス管情報に基づいて特定される。描画された内容の編集が容易であるため、例えば、描画されたガス管２０や継手２１の移動、拡大、縮小、短絡、延伸等を図面上で行うことができ、図面上で将来行う改修の検討を行うことが可能である。
【００３７】
３次元ＣＡＤ図面には、２次元コード４０が含むガス管２０や継手２１のガス管情報を、図面上に表されているガス管２０や継手２１の属性として保有させることができる。３次元ＣＡＤに保有させたガス管情報を、図面の利用者が確認する方法は、以下の４つの方法が考えられる。１つ目は、電子計算機の画面上で、図面上のガス管２０をクリックすると、クリックしたガス管２０に対応するガス管情報が記載されたウインドウが開き、利用者が確認することができるという方法。２つ目は、マウスのポインタをガス管２０に近づけると、ポインタを近づけたガス管２０に対応するガス管情報が記載された小さいウインドウが、ポインタ付近に表示され、利用者が確認することができるという方法。３つ目は、図面上に表されているガス管２０や継手２１のそれぞれのガス管情報が、図面表示画面の空いたスペースに常時表示されていて、利用者が確認することができるという方法。４つ目は、ガス管情報の一覧表を図面とは別に出力するという方法である。
このように、ガス管情報の確認を３次元ＣＡＤ図面によって容易にすることができれば、竣工後の検収業務や、精算業務の負担軽減となる。
【００３８】
また、２次元図面の層と、３次元図面の層とを重ね合わせた多層的な図面も作成可能である。２次元図面の表示と３次元図面の表示とを必要に応じて切換えながら利用することができる。
【００３９】
次に、２次元ＣＡＤ図面とは、ガス管２０や継手２１の敷設状態を表す平面図、断面図、側面図などを指す。ベクトルデータに基づき、ベクトルデータ上でプロットされた点上には継手を描画し、点を接続する線上にはガス管２０を描画することで２次元ＣＡＤ図面を生成する。このとき、描画されるガス管２０と継手２１の種類は、２次元コード４０により表されるガス管情報に基づいて特定される。
【００４０】
そして、２次元ＣＡＤ図面には、２次元コード４０が含むガス管２０や継手２１のガス管情報を、図面上に表されているガス管２０や継手２１の属性として保有させることができる。２次元ＣＡＤ図面に保有させたガス管情報を、図面の利用者が確認する方法は、３次元ＣＡＤ図面に保有させたガス管情報を確認する４つの方法と同様の方法を用いることが考えられる。
【００４１】
また、オルソ画像の層と２次元ＣＡＤ図面の層とを重ね合わせた多層的な図面も作成可能である。オルソ画像の表示と２次元ＣＡＤ図面の表示とを必要に応じて切換えながら利用することができる。
【００４２】
また、図面生成部１６２は、上記に説明した３次元点群データ、３次元メッシュデータ、オルソ画像、３次元ＣＡＤ図面、２次元ＣＡＤ図面に、測位機器１２によって取得した、絶対座標に関する情報を保有させることができる。絶対座標に関する情報を保有した図面が作成されることで、どのような埋設物がどこに埋設されているのか管理が容易となる。例えば、土木工事により埋設したガス管を、将来的に交換のための工事を行う場合、絶対座標に基づいて生成された図面があれば、ＧＰＳ機器を用いることでガス管の位置を特定することが可能となる。
【００４３】
さらにまた、図面生成部１６２は、３次元点群データ、３次元メッシュデータ、オルソ画像、３次元ＣＡＤ図面、２次元ＣＡＤ図面に、相対座標算出部１６１が各図面に基づいて算出した相対座標に関する情報を保有させることができる。上記各図面が相対座標に関する情報を保有していれば、土木工事により埋設したガス管を、将来的に交換のための工事を行う場合、相対座標に基づいて生成された図面があれば、所定の基準位置からスケール等で測定することで、ガス管の位置を特定することが可能となる。
【００４４】
相対座標算出部１６１は、図面生成部１６２により生成される３次元点群データ、３次元メッシュデータ、オルソ画像、３次元ＣＡＤ図面、２次元ＣＡＤ図面に基づいて、基準位置に対する２次元コード４０の相対座標を算出する。例えば、図面上に道路の交差点などが写っていれば、当該交差点を基準位置として、２次元コード４０の相対座標を算出可能である。
【００４５】
例えば、オルソ画像を用いて相対座標を算出する方法を説明すると、オルソ画像中に道路の交差点などが写っていれば、当該交差点を基準位置として、２次元コード４０の相対座標を算出可能である。
オルソ画像中に基準位置となるものが写っていない場合、例えば、図２２に示すように、基準位置３１（例えば交差点）が、ガス管２０の埋設位置から離れているために、オルソ画像に写っていない場合には、工事現場で本来の基準位置３１を基準に、中継基準点３２を埋設物付近に設け、中継基準点３２の、基準位置３１に対する相対座標を測位しておく。その上で、撮影装置１１により、中継基準点３２を含めてガス管２０や継手２１を撮影し、オルソ画像を作成する。そして、オルソ画像上で、任意の箇所の位置を知りたい場合には、当該任意の箇所の中継基準点３２に対する相対位置を計測すれば、中継基準点３２の基準位置３１からの相対座標は測位により取得されているため、オルソ画像中にはない基準位置３１を基準とした相対座標を算出可能である。
【００４６】
また、相対座標算出部１６１は、測位機器１２により２次元コード４０や交差点の絶対座標を取得しておけば、当該絶対座標を基準とした任意の位置の相対座標の算出も可能である。そのほか、例えば、図面生成部１６２により生成された図面中の２か所に２次元コード４０が表示されている場合、一方の２次元コード４０の絶対座標と、他方の２次元コード４０の絶対座標とから、どちらか一方の２次元コード４０を基準として、基準としなかった方の２次元コード４０の相対座標を算出することもできる。
【００４７】
図面生成部１６２が生成する３次元点群データ、３次元メッシュデータ、オルソ画像、３次元ＣＡＤ図面、２次元ＣＡＤ図面は竣工図として用いられる。竣工図とは、工事中に発生した設計変更等をもとにして、設計図を修正したもので、実際に竣工した埋設物の位置等を表した図面のことである。以上のように、相対座標や絶対座標といった位置情報と、ガス管情報を保有した竣工図が生成されることで、竣工後の検収業務や、精算業務の負担軽減となる。また、竣工図には、過去に行われた工事によるガス管等の敷設状態が記録されており、将来的に行われるガス管の改修工事だけでなく、下水管の工事等、地中で行う必要がある工事であり、ガス管位置に配慮しなければならない場合に活用することができる。
【００４８】
さらに、図面生成部１６２は、３次元ＣＡＤ図面や、２次元ＣＡＤ図面を、地理情報システムと連携させた、地理情報システムデータを生成することが可能である。
地理情報システムデータとは、３次元ＣＡＤ図面や、２次元ＣＡＤ図面をもとにガス管２０等の敷設状態を地図上に可視化したもので、竣工図よりも広範囲にガス管２０等の敷設状態が記録されているものである。過去に行われた工事によるガス管等の敷設状態が全て記録されているものであり、将来的に行われるガス管の改修工事だけでなく、下水管の工事等、地中で行う必要がある工事であり、ガス管位置に配慮しなければならない場合に活用することができる。
【００４９】
次に、２次元コード４０について、詳細に説明する。
２次元コード４０は、例えば図４（ａ）に示すように、５つのセル４０１が２次元的に配列され、切欠部４０４を備えることで、角部４０２と底辺部４０３を有する凹字形状に形成されたものである。切欠部４０４を備えることで、２次元コード４０の領域の位置を検出することができるため、撮影装置１１によって撮影したデジタル画像に写った２次元コード４０が傾いていたり、逆さまになっていたりしても、処理部１６は２次元コード４０の上下左右を判別することが可能となる。
【００５０】
セル４０１は所定の色からなるものであり、本実施例においては赤、青、緑の３色のいずれかの色によってなる。なお、セル４０１の色は、当該３色に限定されるものではなく、その他の色を設定しても良い。
【００５１】
そして、２次元コード４０は、赤、青、緑の３色の組み合わせによって、ガス管２０や継手２１のガス管情報を表すことが可能である。
詳しく説明すると、処理部１６が２次元コード４０から情報を読み出す際には、図４（ａ）中の矢印Ｙに示す順番で、各セル４０１の色を読み取る。なお、矢印Ｙに示す方向とは逆の順番で各セル４０１を認識することとしても良い。そして、図４（ｂ）に示すように、赤色に対応する番号は１、青色に対応する番号は２、緑色に対応する番号は３と予め定められており、例えば、図４（ａ）に示す２次元コード４０は青、赤、赤、赤、緑の順に並んでいるため、各色に対応する番号を当てはめると、２１１１３という数列を表すこととなる。なお、図４（ａ）に示される２次元コード４０においては、作業者の視認性向上のため、セル４０１中に対応する番号を記載し、２次元コード４０が表す数列も切欠部４０４に表示しているが、表示をせずともよい。
【００５２】
図４（ａ）に示す２次元コード４０は一例であり、２次元コード４０は赤、青、緑の３色のいずれかの色によってなるセル４０１が５つ並ぶことで構成されているため、全部で２４３通りの数列の組み合わせを作ることができる。
【００５３】
図４（ａ）に示される切欠部４０４において、２次元コード４０が表す数列の上に記されている「５」という数字は、２次元コード４０のコード番号であり、セル４０１の色の組み合わせ毎に１から２４３まで存在する。
コード番号は、図５、図６、図７、図８の表に示すような法則に従って付与される。なお、図５に示す表の最下段の行と図６に示す表の最上段の行とを縦に隣接させ、図６に示す表の最下段の行と図７に示す表の最上段の行とを縦に隣接させ、図７に示す表の最下段の行と図８に示す表の最上段の行とを縦に隣接させることで、図５、図６、図７、図８の表を連続的に表すべきであるが、便宜上分割している。
【００５４】
図５、図６、図７、図８の表に示される２次元コード４０は、表の横方向にコード番号が１ずつ増えていき、縦方向は９ずつ増えていくようになっている。
表の横方向は、底辺部４０３を構成するセル４０１の色は変わらずに、角部４０２を構成する左右のセル４０１の色が「赤赤」、「赤青」、「赤緑」、「青青」、「青緑」、「青赤」、「緑緑」、「緑赤」、「緑青」の順に展開されている。
表の縦方向は、角部４０２を構成するセル４０１の色は変わらずに、底辺部４０３を構成するセル４０１の色や色の位置が変化していく。
縦項目の「青×１」、「青×２」、「青×３」は底辺部４０３を構成する青色のセル４０１の個数を表すものであり、図６における「緑×１」、「緑×２」、「緑×３」も同様に緑色のセル４０１の個数を表すものである。
そして、図７における「２色」とは、赤色のセル４０１の他に青色と緑色の２色のセル４０１を有することを意味する。赤色を色数に含めていないのは、コード番号１の底辺部４０３が赤色のみで構成されていることを基準としているためである。
さらに、図８における「青×２＋２色」とは、青色のセル４０１の個数が２個であり、青色と緑色の２色からなることを意味する。「緑×２＋２色」も同様に、緑色のセル４０１の個数が２個であり、青色と緑色の２色からなることを意味する。
図５、図６、図７、図８のように法則性をもってセル４０１を配列すれば、現場の作業者にとっても視認性がよくなることが期待される。
【００５５】
セル４０１を配列させる法則は図５、図６、図７、図８に示す例には限らない。例えば、２次元コード４０が表す数列「１１１１１」をコード番号１、「１１１１２」をコード番号２、「１１１１３」をコード番号３、「１１１２１」をコード番号４、「１１１２２」をコード番号５というように、２次元コード４０が表す数列が３進法で増加していくのに従い、コード番号を増加させていくという方法もある。
【００５６】
そして、数列毎にガス管情報を定めておけば、処理部１６は、２次元コード４０を認識することで、データベース１５に保存されたガス管情報のうちから、対応するガス管情報を取り出すことが可能となる。
【００５７】
データベース１５に保存されたガス管情報は、例えば、図１１に示す表のように、２次元コード４０が表す数列に対応した状態となっている。
本実施例においては、ガス管情報は、ガス管２０や継手２１の「型番」、「種類」、「名称」、「材質」、「サイズ」、「延長」、「金額」により構成されている。
【００５８】
「型番」は、ガス管２０や継手２１を判別するための個別の番号である。ここでは数列により表しているが、英字のみや英数字による文字列などで表してもよい。
【００５９】
「種類」は、埋設物がガス管２０と継手２１のどちらであるかを表すものである。ここでは単に「管」や「継手」と表しているが、記号や英字によって表してもよい。
【００６０】
「名称」はガス管２０や継手２１の種別を表すもので、ここでは「ＰＥ直管」や「溶接鋼直管」などと表しているが、記号や英字によって表してもよい。
【００６１】
「材質」は、ガス管２０と継手２１を構成する材質を表すものである。ここでは、「ポリエチレン」や「鋼」と表しているが、記号や英字により表しても良い。
【００６２】
「サイズ」は、ガス管２０と継手２１は口径を表している。ここでは、７５Ａ、２００Ａ等の呼び径で表しているが、実際の寸法値を表しても良い。
【００６３】
「延長」は、ガス管２０や継手２１の長さを表す。ここでは、５ｍ、５．５ｍ等の記載をしているが、単位をｍｍとしても良い。
【００６４】
「金額」は、ガス管２０と継手２１の価格を表している。単位は円であり、ここでは、「２０００」、「５００００」等で表しているが、千円単位等で表しても良い。
【００６５】
なお、上記ガス管情報は一例であり、図１１に示す項目に限定されない。例えば、ガス管２０や継手２１の種類によって、埋設にどの程度の工賃がかかるのかは経験上把握されているため、工賃に関する情報を含めることも可能である。図面生成部１６２によって生成される図面に保有されるガス管情報として、工賃に関する情報が含められれば、工事費の算出も容易となる。ここでいう工事費は、経験上把握されている工賃に基づいて算出されるものであるため、概算の工事費と言える。正確な工事費は、ガス管２０や継手２１の敷設にあたり、どの程度の深さまで地面３０を掘り起こしたかに左右される。そのため、設置溝３０ａの深さの情報を有する３次元点群データ、３次元メッシュデータ、３次元ＣＡＤ図面、２次元ＣＡＤ図面に基づき、正確な工事費は算出される。
【００６６】
次に処理部１６が２次元コード４０を認識する手順について説明する。
通常は、まず、撮影装置１１が撮影したデジタル画像に写った２次元コード４０の凹字形状を認識し、２次元コード４０の向きを確認する。これにより、角部４０２と底辺部４０３の位置を割り出す。そして、矢印Ｙに示す順番で、各セル４０１の色を読み取り、各色に対応する番号から２次元コード４０が表す数列を導き出す。
【００６７】
しかし、画像処理の関係上、図９（ａ）に示すようにセル４０１間の隙間が埋まってしまい、各セル４０１が一体化してしまう場合がある。
そのような場合には、まず、２次元コード４０の凹字形状を認識し、２次元コード４０の向きを確認する。そして、切欠部４０４を基準に、５つのセル４０１に分割する。例えば、図９（ｂ）に示すように、切欠部４０４を基準に設けられる分割線４０５によって、５つのセルに分割される。
５つのセル４０１に分割することで、５つのセルがそれぞれ何色かを認識することが可能となり、各色に対応する番号から２次元コード４０が表す数列を導き出すことができるようになる。
【００６８】
また、ガス管２０や継手２１は円筒形状であるため、ガス管２０や継手２１に貼付された２次元コード４０は、円筒形状にならって丸まってしまう。すると、図１０（ａ）−（ｅ）に示すように、撮影装置１１で撮影した際に、２次元コード４０の全体が写らずに一部が欠損してしまうおそれがある（以下、欠損した部分を欠損部４０６という）。そのような場合には、以下のように２次元コード４０の認識を行う。
【００６９】
まず、図１０（ａ），（ｂ）に示すように、角部４０２や、底辺部４０３の一部に欠損部４０６が生じてしまった場合を説明する。
はじめに、凹字形状を認識し、２次元コード４０の向きを確認する。これにより、角部４０２と底辺部４０３の位置を割り出す。
そして、２次元コード４０が何色から構成されているかを認識する。図１０（ａ），（ｂ）に示す例では、青色と赤色の２色で構成されていると認識する。
次に、角部４０２の色を認識する。図１０（ａ），（ｂ）に示す例では、左右ともに青色であると認識する。
その後、底辺部４０３を構成する色を認識する。図１０（ａ），（ｂ）に示す例では、底辺部４０３が青色と赤色によって構成されていると認識する。
底辺部４０３を構成する色を認識した後は、底辺部４０３を構成する色の図中横方向の長さを認識する。図１０（ａ），（ｂ）に示す例では、青色が１セル分の長さ、赤色が２セル分の長さである。これにより底辺部４０３の一部が欠損していても、底辺部４０３を構成する３つのセル４０１が何色の順で並んでいるのかを認識可能である。
以上により、図１０（ａ），（ｂ）に示す２次元コード４０が、図４（ａ）中の矢印Ｙの順番でいえば、青、青、赤、赤、青で構成されていることが認識可能となり、各色に対応する番号から２次元コード４０が表す数列を導き出すことができる。
【００７０】
次に、図１０（ｃ），（ｄ），（ｅ）に示すように、２次元コード４０の図中横方向の端部に欠損部４０６が生じてしまった場合について説明する。
まず、凹字形状を認識し、２次元コード４０の向きを確認する。これにより、角部４０２と底辺部４０３の位置を割り出す。
そして、２次元コード４０が何色から構成されているかを認識する。
図１０（ｃ），（ｄ），（ｅ）に示す例では、２次元コード４０が青色と赤色の２色で構成されていると認識する。
次に、角部４０２の色を認識する。図１０（ｃ），（ｄ），（ｅ）に示す例では、左右ともに青色であると認識する。
その後、底辺部４０３を構成する色を認識する。図１０（ｃ），（ｄ），（ｅ）に示す例では、青色と赤色によって構成されていると認識する。
【００７１】
底辺部４０３を構成する色を認識した後は、底辺部４０３を構成する色の図中横方向の長さを認識する。図１０（ｃ）に示す例では、青色が欠損により０．５セル分の長さとなっており、赤色が２セル分の長さである。図１０（ｄ）に示す例では、青色が１セル分の長さ、赤色が欠損により１．５セル分の長さとなっている。図１０（ｅ）に示す例では、欠損により青色が０．５セル分の長さ、赤色が１．５セル分の長さである。
次に、角部４０２の図中横方向の長さを認識する。図１０（ｃ）に示す例では、左側の青色が欠損により０．５セル分の長さとなっており、右側の青色が１セル分の長さである。図１０（ｄ）に示す例では、左側の青色が１セル分の長さ、右側の青色が欠損により０．５セル分の長さとなっている。図１０（ｅ）に示す例では、左右ともに欠損により青色が０．５セル分の長さである。
【００７２】
底辺部４０３の図中横方向の長さと、角部４０２の図中横方向の長さとを認識することで、２次元コード４０の左右がどの程度欠損しているのかが判別可能となるため、欠損長さを算出する。図１０（ｃ）に示す例では、角部４０２と底辺部４０３ともに左側が０．５セル分欠損しているため、２次元コード４０全体として左側が０．５セル分欠損していると算出される。同様にして、図１０（ｄ）に示す例では、２次元コード４０の右側が０．５セル分欠損していると算出され、図１０（ｅ）に示す例では、２次元コード４０の左右が０．５セル分欠損していると算出される。
【００７３】
算出した欠損長さに基づき、底辺部４０３の横方向の長さを補正し、底辺部４０３を構成する色がそれぞれ何個のセルであるのか認識する。図１０（ｃ）に示す例では、底辺部４０３左側の０．５セル分の欠損を補正する。図１０（ｄ）に示す例では、底辺部４０３右側の０．５セル分の欠損を補正する。  図１０（ｅ）に示す例では、底辺部４０３左右の０．５セル分の欠損を補正する。この補正により、図１０（ｃ），（ｄ），（ｅ）に示される２次元コード４０の底辺部４０３が、青色１セル、赤色２セルで構成されていると認識することができるようになる。なお、角部４０２については、左右それぞれが何色であるか認識できれば足りるため、補正を行う必要はない。
以上により、図１０（ｃ），（ｄ），（ｅ）に示す２次元コード４０が、図４（ａ）中の矢印Ｙの順番でいえば、青、青、赤、赤、青で構成されていることが認識可能となる。
以上、説明した通り、２次元コード４０によれば、一部欠損した状態であっても、２次元コード４０が表す内容を認識することが可能である。
【００７４】
また、セル４０１の配列パターンは、２次元コード４０の凹字状に限らない。
図１７に示すように、６つのセル４０１を２次元的に配列し、切欠部４０４を備えることで、略凹字状に２次元コード４１を形成することも可能である。切欠部４０４を備えることで、処理部１６は２次元コード４１の上下左右を判別することが可能となる。そして、矢印Ｙに示す順番で、各セル４０１の色を読み取り、各色に対応する番号から２次元コード４１が表す数列を導き出すことができる。
なお、２次元コード４１によれば、赤、青、緑の３色のいずれかの色によってなるセル４０１が６つ並ぶことで構成されるものであるため、全部で７２９通りの数列の組み合わせを作ることができる。
【００７５】
略凹字状の変形例としては、その他にも図１８、図１９、図２０、図２１に示す２次元コード４２，４３，４４，４５のようなセル４０１の配列パターンが考えられる。それぞれ、切欠部４０４により、処理部１６は２次元コード４２，４３，４４，４５の上下左右を判別することが可能である。そして、矢印Ｙに示す順番で、各セル４０１の色を読み取り、各色に対応する番号から２次元コード４２，４３，４４，４５が表す数列を導き出すことができる。
なお、２次元コード４２によれば、赤、青、緑の３色のいずれかの色によってなるセル４０１が６つ並ぶことで構成されるものであるため、全部で７２９通りの数列の組み合わせを作ることができる。
２次元コード４３，４４によれば、赤、青、緑の３色のいずれかの色によってなるセル４０１が７つ並ぶことで構成されるものであるため、全部で２１８７通りの数列の組み合わせを作ることができる。
２次元コード４５によれば、赤、青、緑の３色のいずれかの色によってなるセル４０１が８つ並ぶことで構成されるものであるため、全部で６５６１通りの数列の組み合わせを作ることができる。
【００７６】
また、略凹字状の他、図２２に示すように、３つのセル４０１を２次元的に配列し、切欠部４０４を備えることで、Ｌ字状に２次元コード４６を形成することも可能である。切欠部４０４を備えることで、処理部１６は２次元コード４６の上下左右を判別することが可能となる。そして、矢印Ｙに示す順番で、各セル４０１の色を読み取り、各色に対応する番号から２次元コード４６が表す数列を導き出す。
なお、２次元コード４６によれば、赤、青、緑の３色のいずれかの色によってなるセル４０１が３つ並ぶことで構成されるものであるため、全部で２７通りの数列の組み合わせを作ることができる。
【００７７】
Ｌ字状の変形例としては、その他にも図２３、図２４、図２５、図２６に示す２次元コード４７，４８，４９，５０のようなセル４０１の配列パターンが考えられる。それぞれ、切欠部４０４により、処理部１６は２次元コード４７，４８，４９，５０の上下左右を判別することが可能である。そして、矢印Ｙに示す順番で、各セル４０１の色を読み取り、各色に対応する番号から２次元コード４７，４８，４９，５０が表す数列を導き出すことができる。
なお、２次元コード４７によれば、赤、青、緑の３色のいずれかの色によってなるセル４０１が４つ並ぶことで構成されるものであるため、全部で８１通りの数列の組み合わせを作ることができる。
２次元コード４８によれば、赤、青、緑の３色のいずれかの色によってなるセル４０１が６つ並ぶことで構成されるものであるため、全部で７２９通りの数列の組み合わせを作ることができる。
２次元コード４９，５０によれば、赤、青、緑の３色のいずれかの色によってなるセル４０１が７つ並ぶことで構成されるものであるため、全部で２１８７通りの数列の組み合わせを作ることができる。
【００７８】
その他の変形例として、図２７、図２８、図２９、図３０に示す２次元コード５１，５２，５３，５４のようにセル４０１を配列することが考えられる。
２次元コード５１は、７つのセル４０１が、略四角形状に配列されたものであり、角部分に配置された切欠部４０４により、処理部１６は２次元コード５１の上下左右を判別することが可能となる。そして、矢印Ｙに示す順番で、各セル４０１の色を読み取り、各色に対応する番号から２次元コード５１が表す数列を導き出す。
【００７９】
２次元コード５２は、７つのセル４０１が略鉤状に配列されたものである。切欠部４０４により、処理部１６は２次元コード５２の上下左右を判別することが可能となる。そして、矢印Ｙに示す順番で、各セル４０１の色を読み取り、各色に対応する番号から２次元コード５２が表す数列を導き出す。
【００８０】
２次元コード５３は、６つのセル４０１を２次元的に配列し、略Ｖ字状に形成したものである。切欠部４０４により、処理部１６は２次元コード５３の上下左右を判別することが可能となる。そして、セル４０１内に表示されている数字の順に各セル４０１の色を読み取り、各色に対応する番号から２次元コード５３が表す数列を導き出す。なお、セル４０１内に表示する数字は、説明の便宜上示したもので、セル４０１内に表示されている必要はない。
【００８１】
２次元コード５４は、７つのセル４０１を２次元的に配列し、略Ｖ字状に形成したものである。切欠部４０４により、処理部１６は２次元コード５４の上下左右を判別することが可能となる。そして、セル４０１内に表示されている数字の順に各セル４０１の色を読み取り、各色に対応する番号から２次元コード５４が表す数列を導き出す。なお、セル４０１内に表示する数字は、説明の便宜上示したもので、セル４０１内に表示されている必要はない。
【００８２】
なお、２次元コード４１，４２，４３，４４，４５，４６，４７，４８，４９，５０，５１，５２，５３，５４を構成するセル４０１の色は、赤、青、緑の３色に限定されるものではなく、その他の色を設定しても良い。
【００８３】
次に、本実施形態の埋設物管理システム１の動作について説明する。
撮影装置１１により設置溝３０ａに配設されたガス管２０や継手２１を、埋め込み前に撮影し、デジタル画像を取得する。そして、取得されたデジタル画像は、通信回線１９を介して埋設物管理システム１に送信される。
そして、測位機器１２により、設置溝３０ａに配設されたガス管２０や継手２１に貼付された２次元コード４０の絶対座標を、埋め込み前に取得する。取得された絶対座標に関する情報は、通信回線１９を介して埋設物管理システム１に送信される。以上は、工事現場において作業者が行う。
【００８４】
送信されたデジタル画像と絶対座標に関する情報は、通信部１３により受信する。そして、受信されたデジタル画像と絶対座標に関する情報は、登録部１４がデータベース１５に登録する処理を行う。
【００８５】
そして、処理部１６はデータベース１５から  デジタル画像を読み出し、図面生成部１６２は、デジタル画像に基づいて、まずは３次元点群データを生成する。そして、３次元点群データに基づき、３次元メッシュデータ、オルソ画像が生成可能であり、３次元点群データ，３次元メッシュデータ，オルソ画像のいずれかに基づき、ベクトルデータを生成することが可能である。ベクトルデータを生成する際には、データベース１５から２次元コード４０が表す数列に対応するガス管情報を読み出し、ガス管情報をベクトルデータに保有させる。また、ベクトルデータに基づき３次元ＣＡＤ図面または２次元ＣＡＤ図面を生成することが可能であり、さらに、３次元ＣＡＤ図面または２次元ＣＡＤ図面に基づいて地理情報システムデータを生成することが可能である。
図面生成部１６２は、各図面を生成する際には、データベース１５から絶対座標に関する情報を読み出し、図面に保有させる。また、相対座標算出部１６１が、図面生成部１６２が生成した図面に基づいて２次元コード４０の相対座標を算出し、当該相対座標に関する情報を、図面生成部１６２が図面に保有させる。
【００８６】
埋設物管理システム１の使用者は、３次元点群データ，３次元メッシュデータ，オルソ画像，ベクトルデータ，３次元ＣＡＤ図面，２次元ＣＡＤ図面の各図面のうち、必要なものを任意に選択して生成することが可能であるし、２次元ＣＡＤ図面を作成した後に３次元ＣＡＤ図面を作成するなど、追加的な図面の生成も可能である。
【００８７】
図面生成が完了すると、生成された図面はデータベース１５に保存される。また、保存された図面は、竣工後の検収業務や精算業務に用いるなど、必要に応じて読みだして活用することが可能である。さらには、将来的に行われるガス管２０や継手２１の改修工事にも活用可能な他、下水管の工事等、地中で行う必要がある工事であり、ガス管位置に配慮しなければならない場合などにも活用可能である。
【００８８】
以上説明したように、第１の実施形態の埋設物管理システム１によれば、
（１）土木工事により地中に埋設される埋設物の、竣工後の敷設状態を管理する埋設物管理システム１において、ガス管２０や継手２１は、表面の所定の位置に、少なくともガス管２０や継手２１の形状および大きさの情報を含む２次元コード４０を有すること、ガス管２０や継手２１の地中への配設後であって埋め込み前に、少なくとも２次元コード４０を含むデジタル画像を撮影する撮影装置１１と、２次元コード４０の位置情報を取得する位置情報取得部（測位機器１２，相対座標算出部１６１）と、デジタル画像に含まれる２次元コード４０が含む情報と、位置情報取得部（測位機器１２，相対座標算出部１６１）により取得された位置情報とを保有した、敷設状態を表す図面を生成する図面生成部１６２と、を備えること、を特徴とするので、埋設物の埋め込み前に効率よく敷設状態を記録可能なことで作業者の負担を軽減し、信頼性の高い竣工後の敷設状態を表す図面を生成可能である。
【００８９】
例えば、ガス管２０や継手２１に対し、埋設物の形状および大きさ等のガス管情報を含む２次元コード４０を貼付しておく。そして、撮影装置１１により、少なくとも２次元コード４０を含むデジタル画像を取得し、位置情報取得部（測位機器１２，相対座標算出部１６１）により、２次元コード４０の位置情報を取得しておけば、図面生成部１６２は、デジタル画像に含まれる２次元コード４０が含む情報と、位置情報取得部（測位機器１２，相対座標算出部１６１）により取得された位置情報に基づき、敷設状態を表す図面を生成することができるため、例えば、取得された継手２１の２次元コード４０の位置情報に基づき継手２１の位置をプロットし、プロットされた点と点の間を直線で連結させ、プロットされた点上には継手２１を、点と点を連結する直線上にはガス管２０を描画することで、図面を生成することが可能である。このとき、描画されるガス管２０や継手２１は、２次元コード４０の有するガス管や継手のガス管情報に基づき特定される。
よって、ガス管２０や継手２１の埋め込み前にスケール等を用いて手測定をする手間や時間を省くことができるため、作業者の負担を軽減し、竣工後の敷設状態を表す図面を生成可能である。
【００９０】
（２）（１）に記載の埋設物管理システム１において、２次元コード４０は、所定の色を備える複数のセル４０１が２次元的に配列されたものであって、符牒の領域の位置を検出するための切欠部４０４を備え、色の組み合わせにより埋設物の情報を表すものであること、を特徴とするので、撮影装置１１により撮影されたデジタル画像に写った２次元コード４０の色の組み合わせを検出することで、ガス管２０や継手２１のガス管情報を読み取ることができる。また、２次元コード４０の領域の位置を検出するための切欠部４０４を備えているため、撮影装置１１により撮影された画像に写った２次元コード４０が傾いていたとしても、２次元コード４０の上下左右の判別が可能であり、正確に２次元コード４０が有するガス管情報を読み取ることが可能である。
【００９１】
（３）（１）または（２）に記載の埋設物管理システム１において、図面には、少なくとも竣工図が含まれること、を特徴とするので、作業者の負担を軽減し、信頼性の高い竣工図を生成可能である。
（４）（１）乃至（３）のいずれか１つに記載の埋設物管理システム１において、図面には、少なくとも地理情報システムデータが含まれること、を特徴とするので、作業者の負担を軽減し、信頼性の高い地理情報システムデータを生成可能である。
【００９２】
（７）（１）乃至（４）のいずれか１つに記載の埋設物管理システム１において、位置情報取得部は、撮影装置により撮影された画像に基づいて、所定の基準位置に対する２次元コード４０の相対座標を算出する相対座標算出部１６１と、ガス管２０や継手２１の地中への配設後であって埋め込み前に、符牒の絶対座標を取得する測位機器１２と、からなること、位置情報には、相対座標と、絶対座標と、が含まれること、を特徴とするので、相対座標や絶対座標に基づいて敷設状態を表す図面を生成することができる。例えば、土木工事により埋設したガス管を、将来的に交換のための工事を行う場合、相対座標および絶対座標に基づいて生成された図面があれば、所定の基準位置からスケール等で測定を行うか、ＧＰＳ機器を用いるかすればガス管の位置を特定することが可能となる。ＧＰＳ機器は高価であり、複数台準備できない場合が考えられる。そうすると、複数個所で同時に工事が行われるとした場合、ＧＰＳ機器を用いることができない現場がある。そのような場合、相対座標と絶対座標の双方でガス管位置を特定できるようにしておけば、柔軟に対応することができる。
【００９３】
次に第２の実施形態に係る埋設物管理システム２ついて説明する。
第１の実施形態に係る埋設物管理システム１と異なる点は、図３１に示すように、測位機器１２を有しておらず、位置情報取得部としては、相対座標算出部１６１のみにより構成されている点である。
図面生成部１６２は、相対座標と２次元コード４０により表されるガス管情報に基づき、図面を生成する。
また、図面に保有される情報は、相対座標とガス管情報であり、絶対座標に関する情報は含まれない。
その他は、第１の実施形態に係る埋設物管理システム１と同様である。
【００９４】
以上、第２の実施形態の埋設物管理システム１によれば、
（５）（１）乃至（４）のいずれか１つに記載の埋設物管理システム２において、位置情報取得部は、撮影装置１１により撮影された画像に基づいて、所定の基準位置に対する２次元コード４０の相対座標を算出する相対座標算出部１６１からなること、位置情報には、少なくとも相対座標が含まれること、を特徴とするので、相対座標に基づいて敷設状態を表す図面を生成することができる。例えば、土木工事により埋設したガス管２０を、将来的に交換のための工事を行う場合、相対座標に基づいて生成された図面があれば、所定の基準位置からスケール等で測定することで、ガス管２０の位置を特定することが可能となる。
【００９５】
次に第３の実施形態に係る埋設物管理システム３について説明する。
第１の実施形態に係る埋設物管理システム１と異なる点は、図３２に示すように、処理部１６が相対座標算出部１６１を有しておらず、位置情報取得部としては、測位機器１２のみにより構成されている点である。
図面生成部１６２は、絶対座標と２次元コード４０により表されるガス管情報に基づき、図面を生成する。
相対座標を算出しないため、図面生成の過程において、オルソ画像は生成されない。
また、図面に保有される情報は、絶対座標とガス管情報であり、相対座標に関する情報は含まれない。
その他は、第１の実施形態に係る埋設物管理システム１と同様である。
【００９６】
以上、第３の実施形態の埋設物管理システム１によれば、
（６）（１）乃至（４）のいずれか１つに記載の埋設物管理システム３において、位置情報取得部は、埋設物の地中への配設後であって埋め込み前に、２次元コード４０の絶対座標を取得する測位機器１２からなること、位置情報には、少なくとも絶対座標が含まれること、を特徴とするので、絶対座標に基づいて敷設状態を表す図面を生成することができる。例えば、土木工事により埋設したガス管２０を、将来的に交換のための工事を行う場合、絶対座標に基づいて生成された図面があれば、ＧＰＳ機器を用いることでガス管２０の位置を特定することが可能となる。現在、ＧＰＳ機器が高価であるため、スケール等により相対座標に基づいてガス管の位置を特定することが一般的に行われているが、将来的にＧＰＳ機器が普及することで、本発明の有用性が高まる。
【００９７】
なお、上記第１から第３の実施形態は単なる例示にすぎず、本発明を何ら限定するものではない。したがって本発明は当然に、その要旨を逸脱しない範囲内で様々な改良、変形が可能である。
例えば、上記第１から第３の実施例においては、撮影装置１１で取得したデジタル画像や、測位機器１２で取得した絶対座標を、インターネット等の通信回線１９を介して通信部１３が受信することとしているが、有線接続や、メモリーカード等の記憶媒体を用いて、埋設物管理システム１に、撮影装置１１で取得したデジタル画像や、測位機器１２で取得した絶対座標を入力するものとしても良い。
また、上記第１から第３の実施例においては、相対座標算出部１６１を、処理部１６の一部としているが、例えば、工事現場で作業者が用いるノート型の電子計算機やスマートフォンなどに備えられるものとしても良い。
【符号の説明】
【００９８】
１  埋設物管理システム
１１  撮影装置
１２  測位機器
２０  ガス管
２１  継手
４０  ２次元コード
１６１  相対座標算出部
１６２  図面生成部
【図１】
2020160700.tif 000003
【図２】
2020160700.tif 000004
【図３】
2020160700.tif 000005
【図４】
2020160700.tif 000006
【図５】
2020160700.tif 000007
【図６】
2020160700.tif 000008
【図７】
2020160700.tif 000009
【図８】
2020160700.tif 000010
【図９】
2020160700.tif 000011
【図１０】
2020160700.tif 000012
【図１１】
2020160700.tif 000013
【図１２】
2020160700.tif 000014
【図１３】
2020160700.tif 000015
【図１４】
2020160700.tif 000016
【図１５】
2020160700.tif 000017
【図１６】
2020160700.tif 000018
【図１７】
2020160700.tif 000019
【図１８】
2020160700.tif 000020
【図１９】
2020160700.tif 000021
【図２０】
2020160700.tif 000022
【図２１】
2020160700.tif 000023
【図２２】
2020160700.tif 000024
【図２３】
2020160700.tif 000025
【図２４】
2020160700.tif 000026
【図２５】
2020160700.tif 000027
【図２６】
2020160700.tif 000028
【図２７】
2020160700.tif 000029
【図２８】
2020160700.tif 000030
【図２９】
2020160700.tif 000031
【図３０】
2020160700.tif 000032
【図３１】
2020160700.tif 000033
【図３２】
2020160700.tif 000034